(57)【特許請求の範囲】
【請求項１】
壁面における棚の直下の壁面には、棚の下面に固定可能な上部水平片と、その後端より下向きに垂下する、壁体に固定可能な垂直片とを備えた吊支レールが設けられ、前記上部水平片と前記垂直片にそれぞれ連設されており、かつ傾斜して互いに平行をなして対向する一対の案内溝が長手方向に沿って形成された案内板を備え、物品の吊り下げ又は載置用吊支部材の上端部は、固定手段により装脱可能に吊支レールに装着され、かつ前記案内溝の長手方向の任意の位置に移動可能であり、前記固定手段を締め付けにより該任意の位置に係合固定できることを特徴とする吊り下げ式物品収納装置。
【請求項２】
前記案内溝は、上部水平片の前端と垂直片の下端から前方に延出する短寸の下部水平片の前端との間に所要寸法離間してそれぞれ連設された、対向する上下２枚ずつの案内板間で構成されている請求項１に記載の吊り下げ式物品収納装置。
【発明の詳細な説明】
【０００１】
【発明の属する技術分野】
本発明は、例えば調理台の後方の壁面に取付けて、調理器具等を吊り下げ収納する際に用いられる吊り下げ式の物品収納装置に関する。
【０００２】
【従来の技術】
調理台上方のスペースを有効に利用するためと、日常使用頻度の高い調理器具や調味料等の取出しの利便性を高めるために、調理台後方の壁面にそれらを吊り下げて収納することが行われている。
【０００３】
図５は、従来の吊り下げ式物品収納装置を示すもので、調理台１の後方の壁体２における吊り戸棚（図示略）の直下の壁面には、ほぼＶ字状をなす吊支レール３が固着されている。
【０００４】
吊支レール３には、調理器具４等を吊支する複数のフック付ハンガー５や調味料６等を載置するフック付吊り棚７が、吊支レール３の長手方向に沿って移動可能に吊り下げられている。
【０００５】
【発明が解決しようとする課題】
上述した従来の吊り下げ式物品収納装置では、ハンガー５や吊り棚７の上部のフック部を単に吊支レール３に引っ掛けたのみであるため、横方向に振れ易く不安定であり、また調理器具４等を取ろうとしてハンガー５を不用意に上方に引き上げると、それが吊支レール３より脱落する恐れがある。
【０００６】
さらに、ハンガー５等は単に吊り下げて垂下させるのみで、調理台１の方向に延出させることが困難であるため、調理台１の奥行きが長い場合に腕を大きく伸ばさなければならず、調理器具等の収納や取出しが不便である。
【０００７】
本発明は、上記問題点を解決するためになされたもので、ハンガーや吊り棚等を吊支レールに安定的に支持することができ、かつ必要に応じてハンガー等を吊支レールの前方に延出させうるようにした吊り下げ式物品収納装置を提供することを目的としている。
【０００８】
【課題を解決するための手段】
上記目的を達成するために、本発明の吊り下げ式物品収納装置は、壁面における棚の直下の壁面には、棚の下面に固定可能な上部水平片と、その後端より下向きに垂下する、壁体に固定可能な垂直片とを備えた吊支レールが設けられ、前記上部水平片と前記垂直片にそれぞれ連設されており、かつ傾斜して互いに平行をなして対向する一対の案内溝が長手方向に沿って形成された案内板を備え、物品の吊り下げ又は載置用吊支部材の上端部は、固定手段により装脱可能に吊支レールに装着され、かつ前記案内溝の長手方向の任意の位置に移動可能であり、前記固定手段を締め付けにより該任意の位置に係合固定できることを特徴としている。
【０００９】
上記物品収納装置において、前記案内溝は、上部水平片の前端と垂直片の下端から前方に延出する短寸の下部水平片の前端との間に所要寸法離間してそれぞれ連設された、対向する上下２枚ずつの案内板間で構成されていることが好ましい。
【００１３】
本発明によると、物品を吊り下げたり載置したりする吊支部材の上端部が、固定手段を介して吊支レールに安定的に支持されるので、従来の単なるフック式のもののように、横振れしたり、吊支レールより脱落したりすることはない。また棚下空間を有効利用できる。
【００１４】
【発明の実施の形態】
以下、本発明の実施例を図面に基づいて説明する。
【００１５】
図１において、従来と同様、調理台１の後方（以下、方向は調理台側を前方とする）の壁体２における吊り戸棚８の直下の壁面には、本発明の吊り下げ式物品収納装置９が取付けられている。
【００１６】
吊り下げ式物品収納装置９は、アルミニウム合金等の吊支レール１０と、これに吊支されるハンガー１１及び吊り棚１２等の吊支部材とよりなっている。
【００１７】
吊支レール１０は、図２に示すように、吊り戸棚８の下面に固定可能な上部水平片１０ａと、その後端（図中右端）より下向きに垂下する、壁体２に固定可能な垂直片１０ｂと、この垂直片１０ｂの下端より前方に延出する短寸の下部水平片１０ｃとを備え、これら上部水平片１０ａ、垂直片１０ｂ及び下部水平片１０ｃは、それらの内面同士を結合している３枚の補強片１３により補強されている。
【００１８】
上部水平片１０ａの前端と下部水平片１０ｃの前端との間には、ほぼ４５度傾斜して対向する２枚ずつの案内板１４、１４が所要寸法離間してそれぞれ連設され、上下それぞれの案内板１４間には、互いに平行をなして対向する１対の案内溝１５が長手方向に沿って形成されている。
【００１９】
吊支レール１０は、上部水平片１０ａと垂直片１０ｂとを、ねじ１６をもって吊り戸棚８の下面と壁体２とにそれぞれねじ止めすることにより、それらの隅部に取付けられている。
【００２０】
ハンガー１１及び吊り棚１２は、次のような固定手段を介して上記吊支レール１０に取付けられている。なお、ハンガー１１及び吊り棚１２の基端部（上端部）の固定手段は、同じ構造となっているため、ハンガー１１側については図示を省略する。
【００２１】
図２及び図３に示すように、吊り棚１２の上端の１対の支持杆１７には、先端部内周面に雌ねじ１８ａが形成されている筒状の固定ねじ１８が、環状溝１７ａに嵌着した止め輪１９により、抜け止めされて遊嵌されている。
【００２２】
一方、吊支レール１０における上下の案内溝１５内には、前面中央部に中空状の雄ねじ筒２０が突設された１対の支持駒２１が、長手方向に摺動可能として嵌合されている。上記支持駒２１は、図３に示すように、横向きにして吊支レ−ル１０前部の上下の案内板１４間の開口部より挿入したのち、いずれか一方に９０度回動させることにより、案内溝１５内に係合して抜け止めされる。
【００２３】
吊り棚１２を取付ける際は、上記雄ねじ筒２０に押え駒２２を嵌合したのち、両支持杆１７の先端部を各雄ねじ筒２０内に挿入し、固定ねじ１８を雄ねじ筒２０に螺着する。これにより、支持駒２１は案内板１４に挟着されて強固に保持されるとともに、支持杆１７も雄ねじ筒２０内に強く押し付けられ、吊り棚１２は吊支レール１０に安定的に吊支される。
【００２４】
吊り棚１２の吊支位置を変えるときには、固定ねじ１８を若干緩めて、両支持駒２１を左右方向に摺動させればよい。
【００２５】
以上説明したように、上記実施例の吊り下げ式収納装置９においては、ハンガー１１や吊り棚１２の基端部が、吊支レール１０に安定的に支持されるので、従来のフック式のように横振れしたり、吊支レールより脱落したりする恐れはない。
【００２６】
また、基端部が吊支レール１０に固定的に取付けられるので、ハンガー１１や吊り棚１２の支持杆１７を調理台１の手前側に延出させることが可能となり、調理台１の奥行きが長い場合でも腕を大きく伸ばす必要はなく、調理器具等の収納や取出しが容易となる。
【００２７】
図４は、本発明の他の実施例を示すもので、吊支レール１０に、連続形成された大小２つのフック状のハンガー２３を取付けた例である。
【００２８】
ハンガー２３の上端部には、下方の案内溝１５内に係合可能な折曲片２３ａが連設され、また、この折曲片２３ａと連続する上向片２３ｂの上端部には、弾性変形可能なｃ字形の係止具２４が一体形成されている。係止具２４は、（Ａ）図に示す係合前においては、ｃ字状の開口端が若干開いており、これを（Ｂ）図の矢印に示すように、案内溝１５内に向かって押圧することにより、案内溝１５と弾性的に係合する。
【００２９】
吊支レール１０より取外すときには、ハンガー２３全体を斜下向きに押し下げればよい。
【００３０】
この実施例においても、ハンガー２３吊支レール１０に安定的に支持される。なお、この実施例では、比較的軽量の物品の吊り下げに適している。
【００３１】
本発明は、上記実施例に限定されるものではない。
【００３２】
実施例の吊支レール１０の案内溝１５は、ほぼ４５度に傾斜しているが、その傾斜角度は調理台１等の大きさ等に応じて適宜である。
【００３３】
また、吊支レール１０の前面を開口させて上下１対の案内溝１５としているが、開口部のない閉じ断面の案内溝１５とし、支持駒２３を、吊支レール１０の左右の開口端より案内溝１５内に嵌挿するようにしてもよい。
【００３４】
押え駒２２を別体として用いているが、固定ねじ１８の先端に拡径鍔部を一体的に形成して、これを押え駒２２の代わりとすることもできる。
【００３５】
本発明は、上記調理台１の後方にに設けて調理器具等を吊支する以外に、家屋等のあらゆる壁面に取付けて、種々の物品を吊り下げたり載置したりする際にも適用することができる。
【００３６】
【発明の効果】
本発明によれば、次のような効果が得られる。
【００３７】
（ａ）物品吊り下げ用のハンガーや載置用の吊り棚等の吊支部材が、固定手段を介して吊支レールに安定的に支持されるので、従来のようにそれらが横振れしたり、吊支レールより脱落したりするのが防止される。しかも棚下空間を有効利用できると共に、棚の支持強化も図れる。
【００３８】
また、吊支部材の上端部が吊支レールに固定的に支持されることにより、吊支部材を吊支レールの前方に延出させることができ、物品の収納及び取出しが容易となる。固定手段と案内溝との係脱を、吊支レールの前方より容易かつ速やかに行うことができる。
【００３９】
（ｂ）請求項２の発明によると、吊支レールに対し吊支部材を安定的に摺動できかつ強固に固定することができる。
【００４３】
【図面の簡単な説明】
【図１】本発明の一実施例を調理台後方の壁面に取付けた例を示す正面図である。
【図２】図１における拡大縦断側面図である。
【図３】本発明の分解斜視図である。
【図４】本発明の他の実施例の側面図を示し、（Ａ）はハンガーの取付け前の状態、（Ｂ）は同じく取付け後の状態を示す図である。
【図５】従来例を示す斜視図である。
【符号の説明】
１          調理台
２          壁体
４          調理器具
８          吊り戸棚
９          吊り下げ式物品収納装置
１０          吊支レール
１０ａ        上部水平片
１０ｂ        垂直片
１０ｃ        下部水平片
１１          ハンガー
１２          吊り棚
１３          補強片
１４          案内板
１５          案内溝
１６          ねじ
１７          支持杆
１７ａ        環状溝
１８          固定ねじ
１９          止め輪
２０          雄ねじ筒
２１          支持駒
２２          押え駒
２３          ハンガー
２３ａ        折曲片
２３ｂ        上向片
２４          係止具
【図１】
0003878314.tif 000002
【図２】
0003878314.tif 000003
【図３】
0003878314.tif 000004
【図４】
0003878314.tif 000005
【図５】
0003878314.tif 000006